(57)【特許請求の範囲】
【請求項１】
移動局に対して、コネクション解放信号によって、待ち受け状態の移動局による測定用のサブフレームを示す複数の測定サブフレームパターン情報の各々に対応する複数の識別情報を通知する工程と、
前記移動局が、待ち受け状態である場合に、周辺セルにおいて報知されている識別情報を受信する工程と、
前記移動局が、待ち受け状態である場合に、受信した前記識別情報に対応する測定サブフレームパターン情報に基づいて測定処理を行う工程とを有することを特徴とする移動通信方法。
【請求項２】
前記測定サブフレームパターン情報は、前記周辺セルにおいてＡＢＳ（Ａｌｍｏｓｔ  Ｂｌａｎｋ  Ｓｕｂｆｒａｍｅ）として設定されているサブフレームのうちの１又は複数のサブフレームを示すことを特徴とする請求項１に記載の移動通信方法。
【請求項３】
前記移動局は、前記識別情報とセル識別子とを関連付けて記憶することを特徴とする請求項１又は２に記載の移動通信方法。
【請求項４】
移動局であって、
コネクション解放信号によって、待ち受け状態の移動局による測定用のサブフレームを示す複数の測定サブフレームパターン情報の各々に対応する複数の識別情報を受信するように構成されている受信部と、
前記移動局が、待ち受け状態である場合に、測定処理を行うように構成されている測定部とを具備し、
前記移動局が、待ち受け状態である場合に、前記受信部は、周辺セルにおいて報知されている識別情報を受信するように構成されており、
前記測定部は、受信した前記識別情報に対応する測定サブフレームパターン情報に基づいて、前記測定処理を行うように構成されていることを特徴とする移動局。
【請求項５】
前記測定サブフレームパターン情報は、前記周辺セルにおいてＡＢＳ（Ａｌｍｏｓｔ  Ｂｌａｎｋ  Ｓｕｂｆｒａｍｅ）として設定されているサブフレームのうちの１又は複数のサブフレームを示すことを特徴とする請求項４に記載の移動局。
【請求項６】
前記識別情報とセル識別子とを関連付けて記憶する管理部を有することを特徴とする請求項４又は５に記載の移動局。
【発明の詳細な説明】
【技術分野】
【０００１】
本発明は、移動通信方法及び移動局に関する。
【背景技術】
【０００２】
ＬＴＥ（Ｌｏｎｇ  Ｔｅｒｍ  Ｅｖｏｌｕｔｉｏｎ）のＲｅｌ-１０方式における「ｅＩＣＩＣ（Ｅｎｈａｎｃｅｄ  Ｉｎｔｅｒ  Ｃｅｌｌ  Ｉｎｔｅｒｆｅｒｅｎｃｅ  Ｃｏｏｒｄｉｎａｔｉｏｎ）」では、図６に示すように、個別ＲＲＣ（Ｒａｄｉｏ  Ｒｅｓｏｕｒｃｅ  Ｃｏｎｔｒｏｌ）シグナリングによって、Ｃｏｎｎｅｃｔｅｄモードの移動局ＵＥに対して「Ｍｅａｓｕｒｅｍｅｎｔ  Ｓｕｂｆｒａｍｅ  Ｐａｔｔｅｒｎ」を通知することが合意された（非特許文献１参照）。
【０００３】
ここで、「Ｍｅａｓｕｒｅｍｅｎｔ  Ｓｕｂｆｒａｍｅ  Ｐａｔｔｅｒｎ」は、Ｃｏｎｎｅｃｔｅｄモードの移動局ＵＥが、ＲＳＲＰ（Ｒｅｆｅｒｅｎｃｅ  Ｓｉｇｎａｌ  Ｒｅｃｅｉｖｅｄ  Ｐｏｗｅｒ）やＲＳＲＱ（Ｒｅｆｅｒｅｎｃｅ  Ｓｉｇｎａｌ  Ｒｅｃｅｉｖｅｄ  Ｑｕａｌｉｔｙ）を測定し、無線リンク（Ｒａｄｉｏ  Ｌｉｎｋ）を監視するために用いられるサブフレームを示す測定サブフレームパターン情報である。
【０００４】
一方、ＬＴＥのＲｅｌ-１０方式における「ｅＩＣＩＣ」において、Ｉｄｌｅモードの移動局ＵＥに対して「Ｍｅａｓｕｒｅｍｅｎｔ  Ｓｕｂｆｒａｍｅ  Ｐａｔｔｅｒｎ」を通知することについては合意されていない。
【０００５】
しかしながら、以下の２つのケースにおける問題点を解決するために、Ｉｄｌｅモードの移動局ＵＥに対して「Ｍｅａｓｕｒｅｍｅｎｔ  Ｓｕｂｆｒａｍｅ  Ｐａｔｔｅｒｎ」を通知することが必要であると考えられる。
【０００６】
第１のケースは、マクロセル（Ｍａｃｒｏ  ｃｅｌｌ）及びピコセル（Ｐｉｃｏ  ｃｅｌｌ）が隣接しているケースであり、第２のケースは、マクロセル及びＣＳＧ（Ｃｌｏｓｅｄ  Ｓｕｂｓｃｒｉｂｅｒ  Ｇｒｏｕｐ）セルが隣接しているケースである。
【０００７】
ＬＴＥのＲｅｌ-１０方式では、第１のケースにおいて、Ｃｏｎｎｅｃｔｅｄモードの移動局ＵＥに対して積極的にピコセルを選択するようにハンドオーバ処理におけるパラメータを設定し、干渉を防ぐために無線リソースを時分割し、時分割された無線リソースの一部で「Ｍｅａｓｕｒｅｍｅｎｔ処理」を行うことについて規定されている。
【０００８】
ここで、ＬＴＥのＲｅｌ-１０方式では、Ｉｄｌｅモードの移動局ＵＥに対して「Ｍｅａｓｕｒｅｍｅｎｔ  Ｓｕｂｆｒａｍｅ  Ｐａｔｔｅｒｎ」が通知されないため、Ｉｄｌｅモードの移動局ＵＥは、ピコセルに近づいてもマクロセルにおける待ちうけ状態を継続し、マクロセルにおいてＣｏｎｎｅｃｔｅｄモードに遷移し、ピコセルの品質測定後に送信する「ｍｅａｓｕｒｅｍｅｎｔ  Ｒｅｐｏｒｔ」を契機として設定されるハンドオーバパラメータを用いて初めてマクロセルからピコセルに対してハンドオーバを行うように構成されている。
【０００９】
したがって、Ｉｄｌｅモードの移動局ＵＥが、ピコセルにおいてＣｏｎｎｅｃｔｅｄ状態に遷移後に、マクロセル経由の不要なハンドオーバ発生してしまうという問題点があった。
【００１０】
また、第２のケースでは、ＣＳＧセルに対してアクセス権を有しない移動局ＵＥにとってＣＳＧセルは干渉源になる。
【００１１】
したがって、ＣＳＧセルに対してアクセス権を有しないＩｄｌｅモードの移動局ＵＥが、かかるＣＳＧセルに近づいた場合、かかるＣＳＧセルからの干渉により、待ち受けセル（ｃａｍｐ-ｏｎ  ｃｅｌｌ）を見つけることができず、待ち受けセルを探し続ける状態（「Ａｎｙ  ｃｅｌｌ  ｓｅｌｅｃｔｉｏｎ  ｓｔａｔｅ」）にとどまり続けてしまうという問題点があった。
【００１２】
そこで、かかるＩｄｌｅモードの移動局ＵＥに対する「Ｍｅａｓｕｒｅｍｅｎｔ  Ｓｕｂｆｒａｍｅ  Ｐａｔｔｅｒｎ」の通知方法として、移動局ＵＥが、ＣｏｎｎｅｃｔｅｄモードからＩｄｌｅモードに遷移する際に、「ＲＲＣＣｏｎｎｅｃｔｉｏｎＲｅｌｅａｓｅ」を用いて、移動局ＵＥに対して、個別に「Ｍｅａｓｕｒｅｍｅｎｔ  Ｓｕｂｆｒａｍｅ  Ｐａｔｔｅｒｎ」を通知する方法が提案されている（非特許文献２参照）。
【００１３】
例えば、かかる方法において、ＳＩＢ（Ｓｙｓｔｅｍ  Ｉｎｆｏｒｍａｔｉｏｎ  Ｂｌｏｃｋ）４に含まれる「ＣＳＧ  ＰＣＩ  ｓｐｌｉｔ  ｒａｎｇｅ」を用いて、移動局ＵＥが、ＣＳＧセルに近づいたと判定した場合、「Ｍｅａｓｕｒｅｍｅｎｔ  Ｓｕｂｆｒａｍｅ  Ｐａｔｔｅｒｎ」を適用して「Ｍｅａｓｕｒｅｍｅｎｔ処理」を行うように構成されている。
【先行技術文献】
【非特許文献】
【００１４】
【非特許文献１】３ＧＰＰ寄書  Ｒ２-１１１６１７
【非特許文献２】３ＧＰＰ寄書  Ｒ２-１０６５７８
【発明の概要】
【発明が解決しようとする課題】
【００１５】
しかしながら、上述の提案技術では、ネットワークにおいて「Ｍｅａｓｕｒｅｍｅｎｔ  Ｓｕｂｆｒａｍｅ  Ｐａｔｔｅｒｎ」が複数設定されている場合、移動局ＵＥは、どの「Ｍｅａｓｕｒｅｍｅｎｔ  Ｓｕｂｆｒａｍｅ  Ｐａｔｔｅｒｎ」を適用すべきか分からないという問題点があった。
【００１６】
また、上述の提案技術では、上述の第１のケースにおいて、移動局ＵＥが、各セルにおけるＰＣＩに基づいてセルの種別を判断することができないので、どのセルに近づいた際に、「Ｍｅａｓｕｒｅｍｅｎｔ  Ｓｕｂｆｒａｍｅ  Ｐａｔｔｅｒｎ」を適用すればよいのか分からないという問題点があった。
【００１７】
そこで、本発明は、上述の課題に鑑みてなされたものであり、複数の「Ｍｅａｓｕｒｅｍｅｎｔ  Ｓｕｂｆｒａｍｅ  Ｐａｔｔｅｒｎ」を用いた「Ｍｅａｓｕｒｅｍｅｎｔ処理」を可能とする移動通信方法及び移動局を提供することを目的とする。
【課題を解決するための手段】
【００１８】
本発明の第１の特徴は、移動通信方法であって、移動局に対して、コネクション解放信号によって、待ち受け状態の移動局による測定用のサブフレームを示す測定サブフレームパターン情報に対応する識別情報を通知する工程と、前記移動局が、待ち受け状態である場合に、周辺セルにおいて報知されている識別情報を受信する工程と、前記移動局が、待ち受け状態である場合に、受信した前記識別情報に対応する測定サブフレームパターン情報に基づいて測定処理を行う工程とを有することを要旨とする。
【００１９】
本発明の第２の特徴は、移動局であって、コネクション解放信号によって、待ち受け状態の移動局による測定用のサブフレームを示す測定サブフレームパターン情報に対応する識別情報を受信するように構成されている受信部と、前記移動局が、待ち受け状態である場合に、測定処理を行うように構成されている測定部とを具備し、前記移動局が、待ち受け状態である場合に、前記受信部は、周辺セルにおいて報知されている識別情報を受信するように構成されており、前記測定部は、受信した前記識別情報に対応する測定サブフレームパターン情報に基づいて、前記測定処理を行うように構成されていることを要旨とする。
【発明の効果】
【００２０】
以上説明したように、本発明によれば、複数の「Ｍｅａｓｕｒｅｍｅｎｔ  Ｓｕｂｆｒａｍｅ  Ｐａｔｔｅｒｎ」を用いた「Ｍｅａｓｕｒｅｍｅｎｔ処理」を可能とする移動通信方法及び移動局を提供することができる。
【図面の簡単な説明】
【００２１】
【図１】本発明の第１の実施形態に係る移動通信システムの全体構成図である。
【図２】本発明の第１の実施形態に係る無線基地局の機能ブロック図である。
【図３】本発明の第１の実施形態に係る移動局の機能ブロック図である。
【図４】本発明の第１の実施形態に係る移動通信システムの動作を説明するための図である。
【図５】本発明の第１の実施形態に係る移動通信システムの動作を示すシーケンス図である。
【図６】従来の移動通信システムについて説明するための図である。
【発明を実施するための形態】
【００２２】
（本発明の第１の実施形態に係る移動通信システム）
図１乃至図５を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００２３】
本実施形態に係る移動通信システムでは、「ｅＩＣＩＣ」を行うことができるように構成されている。
【００２４】
図１に示すように、本実施形態に係る移動通信システムは、セル＃０を管理する無線基地局ｅＮＢ＃０と、セル＃１を管理する無線基地局ｅＮＢ＃１と、セル＃２を管理する無線基地局ｅＮＢ＃２とを具備している。
【００２５】
ここで、セル＃０及び＃２は、マクロセルであってもよいし、ピコセルであってもよいし、ＣＳＧセルであってもよい。なお、ピコセルは、フェムト（Ｆｅｍｔｏ）セルやマイクロ（Ｍｉｃｒｏ）セル等と呼ばれてもよい。
【００２６】
本実施形態に係る移動通信システムでは、セル＃１は、ピコセル又はＣＳＧセルであり、セル＃２は、マクロセルであるものとする。
【００２７】
また、本実施形態に係る移動通信システムでは、移動局ＵＥは、セル＃０において、ＣｏｎｎｅｃｔｅｄモードからＩｄｌｅモードに遷移し、セル＃２において、Ｉｄｌｅモードであるものとする。
【００２８】
図２に示すように、無線基地局ｅＮＢ＃０は、管理部１１と、送信部とを具備している。
【００２９】
管理部１１は、図２に示すように、「ＩＤ」と「Ｍｅａｓｕｒｅｍｅｎｔ  Ｓｕｂｆｒａｍｅ  Ｐａｔｔｅｒｎ」とを関連付けるレコードを記憶するように構成されている。すなわち、管理部１１は、各ＩＤに対応する「Ｍｅａｓｕｒｅｍｅｎｔ  Ｓｕｂｆｒａｍｅ  Ｐａｔｔｅｒｎ」を管理するように構成されている。
【００３０】
ここで、「Ｍｅａｓｕｒｅｍｅｎｔ  Ｓｕｂｆｒａｍｅ  Ｐａｔｔｅｒｎ」は、各セルにおいてＡＢＳ（Ａｌｍｏｓｔ  Ｂｌａｎｋ  Ｓｕｂｆｒａｍｅ）として設定されているサブフレームのうちの１又は複数のサブフレームを示す測定サブフレームパターン情報である。
【００３１】
送信部１２は、「ＲＲＣＣｏｎｎｅｃｔｉｏｎＲｅｌｅａｓｅ」によって、移動局ＵＥに対して、「Ｍｅａｓｕｒｅｍｅｎｔ  Ｓｕｂｆｒａｍｅ  Ｐａｔｔｅｒｎ」に対応するＩＤを通知するように構成されている。
【００３２】
図３に示すように、移動局ＵＥは、管理部２１と、受信部２２と、測定部２３とを具備している。
【００３３】
受信部２２は、無線基地局ｅＮＢから各種信号を受信するように構成されている。
【００３４】
例えば、図１に示すように、受信部２２は、無線基地局ｅＮＢ＃０から「ＲＲＣＣｏｎｎｅｃｔｉｏｎＲｅｌｅａｓｅ」を受信し、無線基地局ｅＮＢ＃１及びｅＮＢ＃２から報知情報（ＳＩ：Ｓｙｓｔｅｍ  Ｉｎｆｏｒｍａｔｉｏｎ）を受信するように構成されている。
【００３５】
管理部２１は、図３に示すように、「ＩＤ」と「Ｍｅａｓｕｒｅｍｅｎｔ  Ｓｕｂｆｒａｍｅ  Ｐａｔｔｅｒｎ」とを関連付けるレコードを記憶するように構成されている。
【００３６】
すなわち、管理部２１は、受信部２２によって受信された「ＲＲＣＣｏｎｎｅｃｔｉｏｎＲｅｌｅａｓｅ」に基づいて、各ＩＤに対応する「Ｍｅａｓｕｒｅｍｅｎｔ  Ｓｕｂｆｒａｍｅ  Ｐａｔｔｅｒｎ」を管理するように構成されている。
【００３７】
また、管理部２１は、図３に示すように、「セルＩＤ」と「ＩＤ」とを関連付けるレコードを記憶するように構成されている。
【００３８】
すなわち、管理部２１は、受信部２２によって受信された報知情報に含まれるＩＤに基づいて、各セルにおいて送信されるＩＤを管理するように構成されている。
【００３９】
測定部２３は、各セルにおいて送信されているＩＤに対応する「Ｍｅａｓｕｒｅｍｅｎｔ  Ｓｕｂｆｒａｍｅ  Ｐａｔｔｅｒｎ」に基づいて、各セルにおける「Ｍｅａｓｕｒｅｍｅｎｔ処理」を行うように構成されている。
【００４０】
以下、図４及び図５を参照して、本実施形態に係る移動通信システムの動作について説明する。
【００４１】
図４及び図５に示すように、ステップＳ１００１において、無線基地局ｅＮＢ＃０は、セル＃０においてＣｏｎｎｅｃｔｅｄモードである移動局ＵＥに対して、「ＲＲＣＣｏｎｎｅｃｔｉｏｎＲｅｌｅａｓｅ」を送信する。
【００４２】
ここで、無線基地局ｅＮＢ＃０は、移動局ＵＥに対して、「ＲＲＣＣｏｎｎｅｃｔｉｏｎＲｅｌｅａｓｅ」によって、各ＩＤに対応する「Ｍｅａｓｕｒｅｍｅｎｔ  Ｓｕｂｆｒａｍｅ  Ｐａｔｔｅｒｎ」を通知する。
【００４３】
その後、移動局ＵＥが、セル＃２においてＩｄｌｅモードである場合に、ステップＳ１００２において、セル＃１における報知情報から「ＩＤ＃１」を取得し、ステップＳ１００３において、セル＃２における報知情報から「ＩＤ＃１」を取得する。
【００４４】
ステップＳ１００４において、Ｉｄｌｅモードの移動局ＵＥは、セル＃１において「ＩＤ＃１」に対応する「Ｍｅａｓｕｒｅｍｅｎｔ  Ｓｕｂｆｒａｍｅ  Ｐａｔｔｅｒｎ  ＃Ａ」に基づいて「Ｍｅａｓｕｒｅｍｅｎｔ処理」を行い、セル＃２において「ＩＤ＃１」に対応する「Ｍｅａｓｕｒｅｍｅｎｔ  Ｓｕｂｆｒａｍｅ  Ｐａｔｔｅｒｎ  ＃Ａ」に基づいて「Ｍｅａｓｕｒｅｍｅｎｔ処理」を行う。
【００４５】
本実施形態に係る移動通信システムによれば、移動局ＵＥは、「ＲＲＣＣｏｎｎｅｃｔｉｏｎＲｅｌｅａｓｅ」によって、各ＩＤに対応する「Ｍｅａｓｕｒｅｍｅｎｔ  Ｓｕｂｆｒａｍｅ  Ｐａｔｔｅｒｎ」を取得しておき、その後、各セルにおいて報知されているＩＤに対応する「Ｍｅａｓｕｒｅｍｅｎｔ  Ｓｕｂｆｒａｍｅ  Ｐａｔｔｅｒｎ」に基づいて「Ｍｅａｓｕｒｅｍｅｎｔ処理」を行うように構成されている。
【００４６】
その結果、ネットワークにおいて「Ｍｅａｓｕｒｅｍｅｎｔ  Ｓｕｂｆｒａｍｅ  Ｐａｔｔｅｒｎ」が複数設定されている場合であっても、移動局ＵＥは、適用すべき「Ｍｅａｓｕｒｅｍｅｎｔ  Ｓｕｂｆｒａｍｅ  Ｐａｔｔｅｒｎ」を決定することができる。
【００４７】
また、上述の第１のケース（すなわち、マクロセル及びピコセルが混在するケース）であっても、移動局ＵＥは、近づいたセルにおいて報知されているＩＤに対応する「Ｍｅａｓｕｒｅｍｅｎｔ  Ｓｕｂｆｒａｍｅ  Ｐａｔｔｅｒｎ」を適用することができる。
【００４８】
以上に述べた本実施形態の特徴は、以下のように表現されていてもよい。
【００４９】
本実施形態の第１の特徴は、移動通信方法であって、移動局ＵＥに対して、「ＲＲＣＣｏｎｎｅｃｔｉｏｎＲｅｌｅａｓｅ（コネクション解放信号）」によって、Ｉｄｌｅモード（待ち受け状態）の移動局ＵＥによる測定用のサブフレームを示す「Ｍｅａｓｕｒｅｍｅｎｔ  Ｓｕｂｆｒａｍｅ  Ｐａｔｔｅｒｎ（測定サブフレームパターン情報）」に対応するＩＤ（識別情報）を通知する工程と、移動局ＵＥが、Ｉｄｌｅモードである場合に、周辺セル（例えば、セル＃１やセル＃２）において報知されているＩＤを受信する工程と、移動局ＵＥが、Ｉｄｌｅモードである場合に、受信したＩＤに対応する「Ｍｅａｓｕｒｅｍｅｎｔ  Ｓｕｂｆｒａｍｅ  Ｐａｔｔｅｒｎ」に基づいて「Ｍｅａｓｕｒｅｍｅｎｔ処理（測定処理）」を行う工程とを有することを要旨とする。
【００５０】
本実施形態の第２の特徴は、移動局ＵＥであって、「ＲＲＣＣｏｎｎｅｃｔｉｏｎＲｅｌｅａｓｅ」によって、「Ｍｅａｓｕｒｅｍｅｎｔ  Ｓｕｂｆｒａｍｅ  Ｐａｔｔｅｒｎ」に対応するＩＤを受信するように構成されている受信部２２と、移動局ＵＥが、Ｉｄｌｅモードである場合に、「Ｍｅａｓｕｒｅｍｅｎｔ処理」を行うように構成されている測定部２３とを具備し、移動局ＵＥが、Ｉｄｌｅモードである場合に、受信部２２は、周辺セルにおいて報知されているＩＤを受信するように構成されており、測定部２３は、受信したＩＤに対応する「Ｍｅａｓｕｒｅｍｅｎｔ  Ｓｕｂｆｒａｍｅ  Ｐａｔｔｅｒｎ」に基づいて、「Ｍｅａｓｕｒｅｍｅｎｔ処理」を行うように構成されていることを要旨とする。
【００５１】
本実施形態の第１及び第２の特徴において、「Ｍｅａｓｕｒｅｍｅｎｔ  Ｓｕｂｆｒａｍｅ  Ｐａｔｔｅｒｎ」は、周辺セルにおいてＡＢＳ（Ａｌｍｏｓｔ  Ｂｌａｎｋ  Ｓｕｂｆｒａｍｅ）として設定されているサブフレームのうちの１又は複数のサブフレームを示してもよい。
【００５２】
なお、上述の無線基地局ｅＮＢ＃０/ｅＮＢ＃１/ｅＮＢ＃２や移動局ＵＥの動作は、ハードウェアによって実施されてもよいし、プロセッサによって実行されるソフトウェアモジュールによって実施されてもよいし、両者の組み合わせによって実施されてもよい。
【００５３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ＃０/ｅＮＢ＃１/ｅＮＢ＃２や移動局ＵＥ内に設けられていてもよい。また、かかる記憶媒体及びプロセッサは、ディスクリートコンポーネントとして無線基地局ｅＮＢ＃０/ｅＮＢ＃１/ｅＮＢ＃２や移動局ＵＥ内に設けられていてもよい。
【００５５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５６】
ｅＮＢ＃０、ｅＮＢ＃１、ｅＮＢ＃２…無線基地局
ＵＥ…移動局
１１、２１…管理部
１２…送信部
２２…受信部
２３…測定部
【図１】
0005467071.tif 000002
【図２】
0005467071.tif 000003
【図３】
0005467071.tif 000004
【図４】
0005467071.tif 000005
【図５】
0005467071.tif 000006
【図６】
0005467071.tif 000007